(57)【要約】【課題】必要時に椅子として使用することのできるリュックサック等のバッグであって、椅子として使用するときに座りやすい高さにおいて腰掛けることができ、しかもバッグが交差パイプの下にほとんどはみ出すことのない状態で収納できて、周囲にスペースのない場所でも椅子を使用しやすくした折畳み椅子付きバッグを提供することを目的とする。【解決手段】バッグ本体と、このバッグ本体の側面を囲むように取り付けられた、輪郭がほぼ矩形の第１の脚部と、第１の脚部の外側に配設され、かつ連結軸を介してＸ状に交差して連結された第２の脚部と、第１及び第２の脚部の上辺の間に張設した座布とを備え、前記第１及び第２の脚部を閉じた状態でバッグ本体は携行可能であり、前記第１及び第２の脚部を開いた状態でバッグ本体が座布の下に収納されるようにしたことを特徴とする折畳み椅子付きバッグ。【選択図】図１
0003138481.tif 000002
【実用新案登録請求の範囲】
【請求項１】
バッグ本体と、このバッグ本体の側面を囲むように取り付けられた、輪郭がほぼ矩形の第１の脚部と、第１の脚部の外側に配設され、かつ連結軸を介してＸ状に交差して連結された第２の脚部と、第１及び第２の脚部の上辺の間に張設した座布とを備え、
前記第１及び第２の脚部を閉じた状態でバッグ本体は携行可能であり、前記第１及び第２の脚部を開いた状態でバッグ本体が座布の下に収納されるようにしたことを特徴とする折畳み椅子付きバッグ。
【請求項２】
前記第１及び第２の脚部が、金属パイプで構成されていることを特徴とする請求項１記載の折畳み椅子付きバッグ。
【請求項３】
前記第１及び第２の脚部が、バッグ本体の下部からさらに所定の長さを有するようにしたことを特徴とする請求項１記載の折畳み椅子付きバッグ。
【考案の詳細な説明】
【技術分野】
【０００１】
この考案は、リュックサック等のバッグであって、必要時に安定性のある、あるいは座り心地の良い椅子として使用することのできるバッグに関する。
【背景技術】
【０００２】
ハイキングや登山、あるいは市街地や郊外の散策等には、背中に背負うリュックサックが多く使用されている。さらにこのようなリュックサックとして、必要時に椅子として利用することができるものが種々提案されている。
【０００３】
そして、必要時に椅子として利用することができるリュックサックとしては、交差パイプを組み込んだものが一般的であり、交差パイプの上端部間には座布等が取り付けられていて、通常は畳んだ状態の交差パイプを必要時に広げて張られた座布上に腰掛けて使用するものである。
第１に、特開２００２−１７７０３５号公報（特許文献１参照）には座板を別途バッグ本体に取り付けておき、交差パイプの上端部間に座板下部に設けた溝をはめ込むようにしたバッグが記載されている。
第２に、特開２００１−１１２５４１号公報（特許文献２参照）および特開平１１−２８５４０７号公報（特許文献３参照）、実用新案登録第３０５９２４７号公報（特許文献４参照）には持ち運ぶものを収納するための荷物収納部と、折り畳み自在な椅子とを備え、背中に接触する側の前記荷物収納部の面に前記椅子が取り付けられたリュックサックが記載されている。
第３に、実開昭６１−１２６８４６号公報（特許文献５参照）には交差パイプの上端部間には座布が取り付けられ、通常は畳んだ状態の交差パイプを必要時に広げて張られた座布上に腰掛けて使用するリュックサックであって、座布が収納袋の蓋部となるリュックサックが記載されている。
【特許文献１】特開２００２−１７７０３５号公報
【特許文献２】特開２００１−１１２５４１号公報
【特許文献３】特開平１１−２８５４０７号公報
【特許文献４】実用新案登録第３０５９２４７号公報
【特許文献５】実開昭６１−１２６８４６号公報
【考案の開示】
【考案が解決しようとする課題】
【０００４】
しかしながら、上述のような椅子兼用リュックサックでは、それぞれ次のような課題がある。
第１の特許文献１のバッグにおいては、座板がかなりの重さになってしまうため、背中に背負うリュックサックとしては大きなマイナス要因となる。
第２の特許文献２〜４のリュックサックにおいては、折り畳み自在な椅子が背中に接触する側の前記荷物収納部の面に取り付けられているが、椅子部分が収納部の接触する面に取り付けられているので、椅子の高さが低くなってしまって座りにくいという問題点があった。
第３の特許文献５のリュックサックにおいては、座布が収納袋の蓋部となるものであり、当該部分が使用中に磨耗して早期に外観を損ることになってしまったり、蓋部が開閉できないために収納部への荷物の出し入りがし難いという問題点があった。
【０００５】
そこでこの考案は、必要時に椅子として使用することのできるリュックサック等のバッグであって、椅子として使用するときに座りやすい高さにおいて腰掛けることができ、しかもバッグが交差パイプの下にほとんどはみ出すことのない状態で収納できて、周囲にスペースのない場所でも椅子を使用しやすくした折畳み椅子付きバッグを提供することを目的とする。
【課題を解決するための手段】
【０００６】
この目的を達成するため、この考案の折畳み椅子付きバッグは、バッグ本体と、このバッグ本体の側面を囲むように取り付けられた、輪郭がほぼ矩形の第１の脚部と、第１の脚部の外側に配設され、かつ連結軸を介してＸ状に交差して連結された第２の脚部と、第１及び第２の脚部の上辺の間に張設した座布とを備え、
前記第１及び第２の脚部を閉じた状態でバッグ本体は携行可能であり、前記第１及び第２の脚部を開いた状態でバッグ本体が座布の下に収納されるようにしたことを特徴とするものである。
【０００７】
この考案の折畳み椅子付きバッグは、前記第１及び第２の脚部が、金属パイプで構成されていることをも特徴とするものである。
【０００８】
この考案の折畳み椅子付きバッグは、前記第１及び第２の脚部が、バッグ本体の下部からさらに所定の長さを有するようにしたことをも特徴とするものである。
【考案の効果】
【０００９】
以上のように構成したので、この考案の折畳み椅子付きバッグは、必要時に椅子として使用することができ、しかも椅子として使用する際にバッグ本体が座布の下に収納されるので、非常に省スペースで使用することができるようにしたものである。
以下にこの考案の効果を列挙する。
１）前記第１の脚部が、バッグ本体の左右の側面に配置してあるので、背負ったときに脚部が背中や臀部に接触しないので背負い心地がよい。
２）バッグを床面等に置く場合に、前記第１及び第２の脚部がＸ状に自然に開いて安定し、座布が開いて椅子として簡便に利用できる。
３）バッグ本体の底が床面に接触しないので、バッグを濡らしたり汚したりしない。
４）折り畳んだ前記第１及び第２の脚部が１平面内に収まるので、見た目が非常によい。
【考案を実施するための最良の形態】
【００１０】
以下、この考案の折畳み椅子付きバッグの実施の形態を図面を参照して説明する。
図１（ａ）はこの考案の折畳み椅子付きバッグに利用する脚部の正面図、（ｂ）はその側面図、（ｃ）は脚部を開いた状態の側面図、図２（ａ）はこの考案の折畳み椅子付きバッグの１実施例を示す正面図、（ｂ）はその側面図、（ｃ）は脚部を開いた状態の側面図、図３（ａ）はこの考案の折畳み椅子付きバッグの他の実施例を示す正面図、（ｂ）はその側面図、（ｃ）は脚部を開いた状態の側面図である。
【００１１】
図１（ａ）および（ｂ）にこの考案の折畳み椅子付きバッグに利用する一対の脚部を示す。第１および第２の脚部２１，２３は輪郭がほぼ矩形で相似形をなし、第２の脚部２３は第１の脚部２１の外側に配置されている。そして前記第１および第２の脚部２１，２３は後述のバッグ本体１１の側面を囲むように取り付けられている。
また第１の脚部２１と第２の脚部２３とは側辺のほぼ中央に取り付けた連結軸２５を介して回動自在に連結されており、Ｘ状に拡げて椅子として使用する。すなわち、図１（ｃ）に示すように、Ｘ状に拡げた第１及び第２の脚部２１，２３の天辺の間に座布２７が張設されており、この座布２７を椅子として使用するものである。
なお、連結軸２５を中心に第１および第２の脚部２１，２３を開脚したとき、第１および第２の脚部２１，２３の長さが違っても、脚部２１，２３の上下端部はそれぞれ平行である。そして、前記第１及び第２の脚部２１，２３の上辺の間に座布２７を張設して拡げた場合、座布２７が地面に対して傾くことはない。
【００１２】
図２はこの考案の折畳み椅子付きバッグの１実施例を示すもので、バッグ本体１１は柔軟な、または可撓性を有する布素材で形成されており、アルミ等の金属パイプやカーボン繊維製パイプ等で製作された、輪郭がほぼ矩形の第１および第２の脚部２１，２３がバッグ本体１１の側面を囲むように取り付けられている。
そして、Ｘ状に拡げた第１及び第２の脚部２１，２３の天辺の間に張設した座布２７は、連結軸２５を中心に前記第１及び第２の脚部２１，２３がＸ状に開脚しているときは伸張して椅子を形成し、前記第１及び第２の脚部２１，２３が折り畳まれたときには該座布２７も折り畳まれる。
すなわち、バッグを床面等に置く場合に、前記第１及び第２の脚部２１，２３がＸ状に開いて安定し、座布２７が開いて椅子として簡便に利用できる。
また、折り畳んだ前記第１及び第２の脚部２１，２３が同一平面内に収まるので、見た目が非常によい。この第１及び第２の脚部２１，２３を閉じた状態では、バッグ本体１１は背面に取り付けた肩紐１３によって携行可能となっている。
【００１３】
前記バッグ本体１１と第１の脚部２１との取り付けは、第１の脚部２１の天辺２１’をバッグ本体１１の上辺に形成した筒状の保持片２９にはめ込むことにより固定すること等によって行なうことができる。
また下部においては、第１の脚部２１の下部に形成した棚部３１上にバッグ本体１１の下部を取り付ければよい。
なお、３３は第２の脚部２３の両側辺の間の上部に取り付けたゴム紐で、第２の脚部２３の天辺とゴム紐３３間に肩紐１３を通すことにより、第１および第２の脚部２１，２３を開脚したときに肩紐１３がゴム紐３３に持ち上げられた状態となり、肩紐１３が垂れ下がって地面に接触するのを防止している。
【００１４】
また、前記第１及び第２の脚部２１，２３を開いた状態では、バッグ本体１１は前記第１の脚部２１に挟み込まれた状態で座布２７の下に収納される。
【００１５】
さらに、前記第１及び第２の脚部２１，２３を、バッグ本体１１の下部からさらに所定の長さを有するようにすることにより、前記第１及び第２の脚部２１，２３をＸ状に開脚してバッグ本体１１を座布２７の下に収納した状態において、バッグ本体１１の下部が床面にこすれないようにすることができる。
このようにすれば、バッグ本体１１の底が床面に接触しないので、バッグを濡らしたり汚したりしない。
【００１６】
図３はこの考案の折畳み椅子付きバッグの他の実施例を示すもので、バッグ本体１１は柔軟な、または可撓性を有する布素材で形成されており、アルミ等の金属パイプやカーボン繊維製パイプ等で製作された、輪郭がほぼ矩形の第１および第２の脚部２１，２３がバッグ本体１１の側面を囲むように取り付けられている。
そして、Ｘ状に拡げた第１及び第２の脚部２１，２３の天辺の間に張設した座布２７は、連結軸２５を中心に前記第１及び第２の脚部２１，２３がＸ状に開脚しているときは伸張して椅子を形成し、前記第１及び第２の脚部２１，２３が折り畳まれたときには該座布２７も折り畳まれる。
この第１及び第２の脚部２１，２３を閉じた状態では、バッグ本体１１は背面に取り付けた肩紐１３によって携行可能となっている。
【００１７】
なお、この実施例において肩紐１３は、第２の脚部２３の天辺上を通すことにより、第１および第２の脚部２１，２３を開脚したときに肩紐１３が第２の脚部２３の天辺に持ち上げられた状態となり、肩紐１３が垂れ下がって地面に接触するのを防止している。
【００１８】
前記バッグ本体１１には、一側面部の高さ方向ほぼ中央から上面部を通って他側面部の高さ方向ほぼ中央まで伸びるように形成された、ファスナ１５によって開閉される収容物出し入れ用の開口部が形成されている。
この収容物出し入れ用の開口部は、前記第１及び第２の脚部２１，２３を閉じた状態ではファスナ１５を開く操作に何ら支障はなく、したがって収納物の出し入れを自由に行なうことができる。
【００１９】
またバッグ本体１１の後面部上端には、このバッグ本体１１と同一の布素材で形成された幅広のカバー（図示せず）を縫い付けておき、かつ該カバーを開閉自在に構成することができる。
【産業上の利用可能性】
【００２０】
以上説明したように、この考案によればリュックサック、車輪付きキャリヤーバッグ、大型ショルダーバッグ等の旅行用バッグ類のみならず、外出時に使用する椅子付きであることが望ましいバッグ類であれば適宜適用することが可能である。
【図面の簡単な説明】
【００２１】
【図１】（ａ）はこの考案の折畳み椅子付きバッグに利用する脚部の正面図、（ｂ）はその側面図、（ｃ）は脚部を開いた状態の側面図である。
【図２】（ａ）はこの考案の折畳み椅子付きバッグの１実施例を示す正面図、（ｂ）はその側面図、（ｃ）は脚部を開いた状態の側面図である。
【図３】（ａ）はこの考案の折畳み椅子付きバッグの他の実施例を示す正面図、（ｂ）はその側面図、（ｃ）は脚部を開いた状態の側面図である。面図である。
【符号の説明】
【００２２】
１１  バッグ本体
１３  肩紐
１５  ファスナ
２１  第１の脚部
２１’  天辺
２３  第２の脚部
２５  連結軸
２７  座布
２９  筒状の保持片
３１  棚部
３３  ゴム紐
【図１】
0003138481.tif 000003
【図２】
0003138481.tif 000004
【図３】
0003138481.tif 000005